(57)【要約】【課題】中皿や化粧料皿の、個別の取り外し操作を容易に行うことができることは勿論のこと、ひとまとめにした複数の化粧料皿の取り外しも容易なパレット式化粧料容器を提供する。【解決手段】凹状の中皿収納部１４が形成された容器本体１６と、容器本体の周壁１８の一部に設けられ、容器本体を開閉する蓋体２２を回動自在に連結するヒンジ２０と、中皿収納部に着脱自在に収納され、凹状の化粧料皿収納部３２が複数形成された中皿３０と、複数の化粧料皿収納部に着脱自在に収納される複数の化粧料皿３４とを備え、容器本体の中皿収納部を囲繞する壁部１８のうちヒンジ側壁部、並びに中皿の各化粧料皿収納部を囲繞する中皿壁部４０には、それぞれ中皿、および各化粧料皿の取り外し操作のための切り欠き３８、４２が形成されている。【選択図】図２
2006130019.tif 000002
【特許請求の範囲】
【請求項１】
凹状の中皿収納部が形成された容器本体と、該容器本体の周壁の一部に設けられ、当該容器本体を開閉する蓋体を回動自在に連結するヒンジと、上記中皿収納部に着脱自在に収納され、凹状の化粧料皿収納部が複数形成された中皿と、該複数の化粧料皿収納部に着脱自在に収納される複数の化粧料皿とを備え、上記容器本体の中皿収納部を囲繞する壁部のうちヒンジ側壁部、並びに上記中皿の各化粧料皿収納部を囲繞する中皿壁部には、それぞれ上記中皿、および上記各化粧料皿の取り外し操作のための切り欠きが形成されていることを特徴とするパレット式化粧料容器。
【発明の詳細な説明】
【技術分野】
【０００１】
本発明は、中皿や化粧料皿を個別に取り外す操作を容易に行うことができることは勿論のこと、ひとまとめにした複数の化粧料皿の取り外し操作も容易なパレット式化粧料容器に関する。
【背景技術】
【０００２】
複数の化粧料皿を交換可能に収納するパレット式化粧料容器と呼ばれる化粧料容器がある。例えば、アイシャドウなどの多色化粧料を色ごとに個別の化粧料皿に充填して収納する。さらに、アイシャドウと頬紅など複数種類の化粧料を収納する場合もある。このような場合は通常、使用者にとってわかりやすいように、種類ごとにまとめて配置される。このようなパレット式化粧料容器としては、例えば特許文献１および２が知られている。
【０００３】
特許文献１のパレット式化粧料容器は、容器本体内に収容する化粧料皿の少なくとも側面を磁性材料で構成するとともに、容器本体の内周面側壁部を上記磁性材料の磁力が作用しうる材質で構成し、化粧料皿を上記の磁力の作用によって容器本体内に着脱自在に装着している。各化粧料皿はＮ−Ｓの磁極を有するため、互いに隣接する化粧料皿同士が反発し合わない磁極方向となるように並べられて容器本体内に収納される。このパレット式化粧料容器では、機械的な構造ではなく磁力によって各化粧料皿を容器本体内に保持させるので、各化粧料皿の意図せざる脱落を防止するためには、各化粧料皿および容器本体内周面に、比較的強い磁力を帯びさせる必要があると思われる。
【０００４】
特許文献２のパレット式化粧料容器は、容器本体内部を隔壁によって２つに区分けし、隔壁の両側に区画形成された収納部に複数の化粧料皿が収納される。各収納部は、小さな化粧料皿を複数個並べて収納したり、最も大きな化粧料皿を少なくとも１つ収納できる大きさに形成されている。各化粧料皿の互いに対向する２つの外側面には、係合凹部が形成されている。隔壁は間隙を挟んで対面する２つの壁面からなり、各壁面の外側には、隔壁の厚さ方向に弾性変形可能な複数の係合片が設けられている。また、容器本体の周壁のうち、隔壁と対面する２面には、係合凸部が形成されている。そして、化粧料皿を各収納部に収納するには、係合片を弾性変形させて間隙に向かって押し込みつつ、係合凹部を係合片および係合凸部を係合させる。化粧料皿を取り外す際にも、係合片を弾性変形させつつ、係合凹部を係合片および係合凸部から離脱させる。
【特許文献１】特開昭６１−１９０９０８号公報
【特許文献２】特開２０００−１１４号公報
【発明の開示】
【発明が解決しようとする課題】
【０００５】
ところで、上記特許文献１では、所望の化粧料皿の取り外し操作が良好でないという課題があった。具体的には、ある１つの化粧料皿を容器本体から取り外そうとする際、各化粧料皿間には磁力による引力が作用しているため、他の化粧料皿も共に取り外されてしまうおそれがあった。また、各化粧料皿および容器本体の内周面には、比較的強い磁性が着磁されると思われるので、化粧料皿を取り外すには比較的強い力が必要であると思われる。
【０００６】
他方上記特許文献２は、化粧料皿の取り外し操作性は良好であるが、各化粧料皿を１つずつ着脱しなければならない。その結果、例えばアイシャドウ用の化粧料皿セットなど、複数の化粧料皿を一度にまとめて取り外して、持ち運んだり、交換したりすることができないため、非常に不便であった。
【０００７】
本発明は上記従来の課題に鑑みて創案されたものであって、中皿や化粧料皿を個別に取り外す操作を容易に行うことができることは勿論のこと、ひとまとめにした複数の化粧料皿の取り外し操作も容易なパレット式化粧料容器を提供することを目的とする。
【課題を解決するための手段】
【０００８】
本発明にかかるパレット式化粧料容器は、凹状の中皿収納部が形成された容器本体と、該容器本体の周壁の一部に設けられ、当該容器本体を開閉する蓋体を回動自在に連結するヒンジと、上記中皿収納部に着脱自在に収納され、凹状の化粧料皿収納部が複数形成された中皿と、該複数の化粧料皿収納部に着脱自在に収納される複数の化粧料皿とを備え、上記容器本体の中皿収納部を囲繞する壁部のうちヒンジ側壁部、並びに上記中皿の各化粧料皿収納部を囲繞する中皿壁部には、それぞれ上記中皿、および上記各化粧料皿の取り外し操作のための切り欠きが形成されていることを特徴とする。
【発明の効果】
【０００９】
本発明にかかるパレット式化粧料容器にあっては、中皿や化粧料皿を個別に取り外す操作を容易に行うことができることは勿論のこと、ひとまとめにした複数の化粧料皿の取り外し操作も容易に行うことができる。
【発明を実施するための最良の形態】
【００１０】
以下に、本発明にかかるパレット式化粧料容器の好適な一実施形態について、添付図面を参照して詳細に説明する。本実施形態にかかるパレット式化粧料容器１０は、図１から図３に示すように、凹状の第１、第２中皿収納部１２、１４が形成された容器本体１６と、容器本体１６の、第１、第２中皿収納部１２、１４の四方を囲繞する各壁部１８のうち、後端側の壁部（容器本体の周壁のうち後端側の周壁）１８ａに設けられたヒンジ２０を介して、容器本体１６に対し回動自在に連結された蓋体２２とから主に構成される。蓋体２２は、容器本体１６を開閉するとともに、ヒンジ２０と反対側（前端側）の端部がフック手段２４を介して容器本体１６に係脱自在に係合されて容器本体１６の閉止状態を維持する。蓋体２２の裏面には鏡２６が設けられている。
【００１１】
第１、第２中皿収納部１２、１４にはそれぞれ、第１中皿２８および第２中皿３０が着脱自在に収納される。また、第２中皿３０には凹状の化粧料皿収納部３２が３つ形成されており、それぞれに化粧料皿３４が着脱自在に収納される。本実施形態の容器本体１６、蓋体２２、第１、第２中皿２８、３０、および各化粧料皿３４はいずれも合成樹脂製であり、四隅が円弧をなす略矩形状に形成されている。
【００１２】
容器本体１６の、第１、第２中皿収納部１２、１４を囲繞する各壁部１８のうち、後端側（以下、ヒンジ側という）壁部１８ａの、第１中皿２８および第２中皿３０に面する部分には、第１、第２中皿２８、３０の取り外し操作のためのスペースを形成する第１中皿取り外し用切り欠き３６および第２中皿取り外し用切り欠き３８が設けられている。また、第２中皿３０の、各化粧料皿収納部３２の四方を囲繞する各壁部（中皿壁部）４０のうち、それぞれ適宜な箇所に、各化粧料皿３４の取り外し操作のためのスペースを形成する化粧料皿取り外し用切り欠き４２が設けられている。図示例にあっては、３つの化粧料皿３４のうちヒンジ２０寄りの位置に設けられた化粧料皿３４ａに対しては、そのヒンジ側に面する壁部４０ａに化粧料皿取り外し用切り欠き４２ａが設けられている。また、３つの化粧料皿３４のうちフック手段２４寄りの位置に設けられた２つの化粧料皿３４ｂに対しては、それぞれヒンジ寄りの化粧料皿３４ａとの間の中皿壁部４０に化粧料皿取り外し用切り欠き４２ｂが設けられている。ヒンジ２０寄りの化粧料皿３４ａを取り外す際には、これら２つの化粧料皿取り外し用切り欠き４２ｂによって形成されるスペースを利用することも可能である。
【００１３】
ここで、ヒンジ寄りの位置に設けられた化粧料皿３４ａを取り外すための化粧料皿取り外し用切り欠き４２ａは、第２中皿取り外し用切り欠き３８と一部重なり合っているが、化粧料皿取り外し用切り欠き４２ａの長さ寸法は、第２中皿取り外し用切り欠き３８の長さ寸法よりも小さいため、第２中皿３０の取り外し操作は、第２中皿３０のヒンジ側壁部４０ａのうち、第２中皿取り外し用切り欠き３８に臨んでいる部分（以下、取り外し操作部という）４０ｂに指を当てつつ行うことができる。
【００１４】
上記第１、第２中皿２８、３０や各化粧料皿３４には、化粧料Ｐが充填されたり、化粧具が収納される。化粧具を収納する場合は、直接、第１、第２中皿収納部１２、１４や化粧料皿収納部３２に収納してもよい。例えば本実施形態では、図２に示すように、ヒンジ側に位置する化粧料皿収納部３２ａには、選択的に化粧料皿３４ａあるいはアイシャドウ用の刷毛４４を収納することができる。また図３に示すように、第２中皿収納部１４には、第２中皿３０に代えてパフ４６を収納してもよい。第２中皿収納部の底面には、パフ４６を収納することを想定して複数の通気孔４８が形成されている。また本実施形態では、第２中皿３０にはアイシャドウ用の化粧料皿セットがひとまとめに収納されている。すなわち、各化粧料皿３４にはいずれもアイシャドウ用の化粧料が充填されている。
【００１５】
フック手段２４は、容器本体１６の各壁部１８のうち前端側（以下、フック側という）の壁部１８ｂに形成された凹所２４ａに設けられたフック用突起２４ｂと、蓋体２２の先端から垂下されて形成され、フック用突起２４ｂに係脱自在に係合されるフック部２４ｃと、凹所２４ａ内にスライド自在に設けられ、容器本体１６の内側に向かって押し込まれることによって蓋体２２を押し上げ、フック部２４ｃをフック用突起２４ｂから離脱させるプッシュピース２４ｄとから構成される。また、容器本体１６のヒンジ側壁部１８ａには凹部２０ａが形成され、この凹部２０ａ内に蓋体２２の後端から垂下されたヒンジ片２０ｂが挿入され、かつ容器本体１６の左右方向に壁部１８からヒンジ片２０ｂに向かって形成されたピン穴２０ｃに、ヒンジピン２０ｄが挿入されることで、ヒンジ２０が構成されている。
【００１６】
容器本体１６の、第１中皿収納部１２を囲繞する壁部１８のうち、ヒンジ側壁部１８ａおよびフック側壁部１８ｂの内側面には、係合凸部５０が２つずつ形成されている。同様に、第２中皿を囲繞する壁部１８のうち、ヒンジ側壁部１８ａおよびフック側壁部１８ｂの内側面にも、係合凸部５０が２つずつ形成されている。これらの係合凸部５０は、第１、第２中皿２８、３０のヒンジ側およびフック側壁部４０外側面にそれぞれ２つずつ形成された係合凹部５２と係脱自在に係合される。
【００１７】
また、第２中皿３０の、各化粧料皿収納部３２を囲繞する壁部４０のうち、各化粧料皿収納部３２のヒンジ側およびフック側に面する壁部４０の内側面には、係合凸部５４が２つずつ形成されている。これらの係合凸部５４は、各化粧料皿３４のヒンジ側およびフック側外壁面に２つずつ形成された係合凹部５６と係脱自在に係合される。
【００１８】
本実施形態のパレット式化粧料容器１０の作用について説明する。例えば第２中皿３０を、交換などのために容器本体１６から取り外す際には、第２中皿取り外し用切り欠き３８により形成されたスペースを利用して、第２中皿３０のヒンジ側壁部４０ａに設けられた取り外し操作部４０ｂに親指などを押し当て、残りのいずれかの指を容器本体１６のフック側壁部１８ｂ外面に当てて容器本体１６の移動を防止しつつ、取り外し操作部４０ｂをフック側に押圧しながら持ち上げる。すると容器本体１６のヒンジ側壁部１８ａ内側面に設けられた係合凸部５０が、第２中皿３０のヒンジ側壁部４０ａ外側面に設けられた係合凹部５２から離脱する。次に、第２中皿３０を把持してこれを若干ヒンジ側に引くようにしつつ持ち上げれば、容器本体１６のフック側壁部１８ｂ内側面に設けられた係合凸部（図示せず）が、第２中皿のフック側壁部４０ｃ外側面の係合凹部５２から離脱して、第２中皿３０を完全に取り外すことができる。第１中皿２８や、各化粧料皿３４を取り外す際にも、同様の操作手順により行うことができる。
【００１９】
次に、例えば取り外した第２中皿３０に代わる第２中皿３０を容器本体１６に装着するには、第２中皿３０を把持しつつ第２中皿収納部１４に押し込むことにより、容器本体１６のヒンジ側壁部１８ａおよびフック側壁部１８ｂ内側面に設けられた係合凸部５０を乗り越えて、第２中皿３０のヒンジ側壁部４０ａおよびフック側壁部４０ｃ外側面に設けられた係合凹部５２が係合し、第２中皿収納部１４内に保持させることができる。第１中皿２８や、各化粧料皿３４を装着する際にも、同様の操作手順により行うことができる。
【００２０】
なお、本実施形態にあっては、第２中皿３０を１８０度回転させて、すなわちヒンジ側とフック側を逆にして第２中皿収納部１４に装着することもできる。そのような場合でも、第２中皿３０の取り外し操作および装着操作は同様に行うことができる。
【００２１】
以上説明した、本実施形態にかかるパレット式化粧料容器１０にあっては、第１、第２中皿収納部１２、１４をそれぞれ囲繞する壁部１８のうち、ヒンジ側壁部１８ａに、第１、第２中皿取り外し用切り欠き３６、３８を形成したので、第１、第２中皿２８、３０の取り外し操作を容易に行うことができる。また、各化粧料皿収納部３２を囲繞する各壁部４０のうち、上記のような適宜箇所に各化粧料皿取り外し用切り欠き４２を形成したので、各化粧料皿３４の取り外し操作を容易に行うことができる。
【００２２】
また、各化粧料皿３４をまとめて持ち運んだり、まとめて装着したりすることができるアイシャドウ用の化粧料皿セットを、第２中皿３０上にひとまとめにした状態で第２中皿取り外し用切り欠き３８を利用して取り外すことができて、大変便利である。
【００２３】
なお、上記実施形態の変形として、各化粧料皿３４の中にさらに、複数の小さな化粧料皿を収納することとしてもよい。また、各化粧料皿取り外し用切り欠き４２の形成される位置は、必ずしも上記の例に限定されるものではなく、例えば、各化粧料皿収納部３２を囲繞する壁部４０のうち、フック側壁部４０ｃに形成することとしてもよい。また、容器本体１６や中皿２８、３０、化粧料皿３４については、外形輪郭が略矩形のものを例示して説明したが、多角形や円形などの異なる形状であってもよいことはもちろんである。
【図面の簡単な説明】
【００２４】
【図１】本発明にかかるパレット式化粧料容器の好適な一実施形態を示す、平面図である。
【図２】図１のパレット式化粧料容器の第２中皿とそこに収納される化粧料皿および化粧具を示す斜視図である。
【図３】図１のパレット式化粧料容器の、各中皿を取り外した状態の斜視図である。
【符号の説明】
【００２５】
１０  パレット式化粧料容器
１２  第１中皿収納部
１４  第２中皿収納部
１６  容器本体
１８  容器本体の壁部
２０  ヒンジ
２２  蓋体
２８  第１中皿
３０  第２中皿
３２  化粧皿収納部
３４  化粧料皿
３８  第２中皿取り外し用切り欠き
４０  第２中皿の壁部
４２  化粧料皿取り外し用切り欠き
【図１】
2006130019.tif 000003
【図２】
2006130019.tif 000004
【図３】
2006130019.tif 000005